(57)【要約】【課題】本発明は同軸ケーブル等の配線をなくし、屋内やビル陰等の電波障害地域、あるいは電波の届く範囲でＶＨＦ、ＵＨＦ、ＢＳ、デジタル信号等の放送電波を容易に受信させることができる電波の送信装置を得るにある。【解決手段】外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、該入力端子から入力される放送電波を増幅する増幅回路と、この増幅回路に接続された商用電源に接続する商用電源接続回路と、前記増幅回路で増幅された放送電波を出力する出力アンテナとで電波の送信装置を構成している。【選択図】  図１
2004222114.tif 000002
【特許請求の範囲】
【請求項１】
外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、該入力端子から入力される放送電波を増幅する増幅回路と、この増幅回路に接続された商用電源に接続する商用電源接続回路と、前記増幅回路で増幅された放送電波を出力する出力アンテナとからなることを特徴とする電波の送信装置。
【請求項２】
外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、該入力端子から入力される放送電波を分波する分波回路と、この分波回路で分波された放送電波からＵＨＦやデジタル信号等の放送電波を分離する分離フィルターと、この分離フィルターで分離したＵＨＦやデジタル信号等の放送電波を増幅する増幅回路と、この増幅回路に接続された商用電源に接続する商用電源接続回路と、前記増幅回路で増幅された放送電波を出力する出力アンテナとからなることを特徴とする電波の送信装置。
【請求項３】
外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、該入力端子から入力される放送電波を分波する分波回路と、この分波回路で分波された放送電波からＵＨＦやデジタル信号等の放送電波を分離する分離フィルターと、この分離フィルターで分離したＵＨＦやデジタル信号等の放送電波を増幅する増幅回路と、この増幅回路および分波回路を作動させる商用電源に接続する商用電源接続回路と、前記分波回路で分波されたＶＨＦ、ＵＨＦ、ＢＳ、デジタル信号等の放送電波を出力する第１出力アンテナ、前記増幅回路で増幅されたＵＨＦやデジタル信号等の放送電波を出力する第２出力アンテナとで構成する出力アンテナとからなることを特徴とする電波の送信装置。
【請求項４】
外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、ＵＨＦやデジタル信号等の放送電波を出力する出力アンテナと、この出力アンテナと入力端子を作動させるように接続された商用電源に接続する商用電源接続回路とからなることを特徴とする電波の送信装置。
【請求項５】
外部から受信したＶＨＦ、ＵＨＦ、ＢＳ、デジタル信号等の放送電波を屋内や電波障害地域等に出力するアンテナ出力端子に着脱可能に取付けることができるケース体に収納されていることを特徴とする特許請求の範囲第１ないし第４項のいずれかに記載の電波の送信装置。
【請求項６】
各種回路等を作動させることができるように設けられた電源に配線された電流供給回路を設けることを特徴とする特許請求の範囲第１ないし第５項のいずれかに記載の電波の送信装置。
【発明の詳細な説明】
【０００１】
【発明の属する技術分野】
本発明は、ＶＨＦ、ＵＨＦ、ＢＳ、デジタル信号等の放送電波を無線送信する電波の送信装置に関する。
【０００２】
【従来の技術】
従来、戸建てや集合住宅等の屋内において、家庭用ＴＶ受信機を使用する場合、屋内アンテナ出力端子とＴＶ受信機のアンテナ入力端子を同軸ケーブル等で接続していた。
【０００３】
【発明が解決しようとする課題】
従来の同軸ケーブル等で接続する電波の送信装置では、同軸ケーブル等の配線が煩雑になって、屋内配線による室内の美観を損ねるとともに、キッチンや浴室等の水回り部には同軸ケーブル等の配線が困難であるという欠点がある。
【０００４】
本発明は以上のような従来の欠点に鑑み、同軸ケーブル等の配線をなくし、屋内あるいは電波の届く範囲でＶＨＦ、ＵＨＦ、ＢＳ等の放送電波を容易に受信させることができる電波の送信装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、該入力端子から入力される放送電波を増幅する増幅回路と、この増幅回路に接続された商用電源に接続する商用電源接続回路と、前記増幅回路で増幅された放送電波を出力する出力アンテナとで電波の送信装置を構成している。
【０００７】
【発明の実施の形態】
以下、図面に示す実施の形態により、本発明を詳細に説明する。
【０００８】
図１ないし図５に示す本発明の第１の実施の形態において、１は本発明の電波の送信装置で、この電波の送信装置１は、屋内やビル陰等の電波障害地域に設けられた壁面Ｗや床面等に設置された屋内アンテナ出力端子２と接続あるいは取付けることができる形状に形成されたケース体３と、このケース体３に取付けられた、外部アンテナから受信したＶＨＦ、ＵＨＦ、ＢＳ、デジタル信号等の放送電波、本実施の形態ではＵＨＦや地上波デジタル信号等を屋内やビル陰等の電波障害地域に出力するアンテナ出力端子２に着脱可能に取付けることができる入力端子４と、この入力端子４に接続された、該入力端子４から入力されるＶＨＦ、ＵＨＦ、ＢＳ、デジタル信号等の放送電波を２分配する分波回路５と、この分波回路５で分波された一方のＶＨＦ、ＵＨＦ、ＢＳ、デジタル信号等の放送電波からＵＨＦやデジタル信号等の放送電波を分離する分離フィルター６と、この分離フィルター６で分離したＵＨＦやデジタル信号等の放送電波を電力増幅する増幅回路７と、この増幅回路７等に接続された商用電源に接続されたコンセント８に接続する、スイッチ９が介装されている商用電源接続回路１０と、前記分波回路５で分波された他方のＶＨＦ、ＢＳ等の放送電波を出力する、ＴＶ等に同軸ケーブル等を用いて接続できるように形成された第１出力アンテナとしての接続端子１１、前記増幅回路７で電力増幅されたＵＨＦやデジタル信号等の放送電波を出力する第２出力アンテナ１２とで構成する出力アンテナ１３とで構成されている。
なお、前記分離フィルター６は所定の電波を分離できるものを使用することができる。
また、前記商用電源接続回路１０には、適宜に電源回路Ｘが設けられ、変圧器１４が介装されていてもよい。
さらに、前記出力アンテナ１３は前記ケース体３の外部に設けられてもよく、また、前記第１出力アンテナ１１には、図３に示すようなアンテナ１１Ａを用いて無線送信してもよい。
【０００９】
上記構成の電波の送信装置１は、図４に示すように、商用電源接続回路１０を商用電源に接続されたコンセント８に接続し、スイッチ９をＯＮ状態にすることにより、屋外からのＶＨＦ、ＵＨＦ、ＢＳ、デジタル信号等の放送電波を受信して、屋内に送信する。
その時、ＴＶ、パーソナルコンピュータやＰＤＡ、携帯電話機等の情報端末機等に取付けられた室内アンテナや受信装置で、出力アンテナ１３より無線送信された放送電波を受信して、放送を再生することができる。特に外部から入力された地上波デジタル信号を変換なしに屋内やビル陰等の電波障害地域に無線送信できるので、鮮明な映像や音声を楽しむことができる。
また、同軸ケーブル等の配線や接続が不要になるので、例えば、配線が困難であったキッチンや浴室等の水回り部でも、屋内のデザインを損ねることなく容易に良質な視聴することができるとともに、図５に示すように、デパートや駐車場等の施設内や地下街等に設置してもよい。
【００１０】
【発明の異なる実施の形態】
次に、図６ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図６および図７に示す本発明の第２の実施の形態において、前記本発明の第１の実施の形態と主に異なる点は、前記分波回路５で分波された他方のＶＨＦ、ＢＳ等の放送電波と、前記増幅回路で電力増幅されたＵＨＦやデジタル信号等の放送電波を共通に出力する出力アンテナ１３Ａを用いた点で、このように構成した電波の送信装置１Ａにしても本発明の第１の実施の形態と同様の作用効果を得ることができる。
【００１２】
図８および図９に示す本発明の第３の実施の形態において、前記本発明の第２の実施の形態と主に異なる点は、前記分波回路を用いずに、前記入力端子４から入力した放送電波を前記分離フィルター６を介して放送電波を分離する点で、このように構成した電波の送信装置１Ｂにしても本発明の第２の実施の形態と同様の作用効果を得ることができる。
【００１３】
図１０および図１１に示す本発明の第４の実施の形態において、前記本発明の第１の実施の形態と主に異なる点は、前記ケース体３内に着脱可能に収納された電池１５と、この電池１５と前記スイッチ９が介装された状態で接続される、前記ケース３体に設けられた電流供給回路１６とで構成した点で、このように構成した電波の送信装置１Ｃにしても本発明の第１の実施の形態と同様の作用効果を得ることができるとともに、設置場所の近傍部位にコンセントがない場合でも確実に使用することができる。
【００１４】
図１２および図１３に示す本発明の第５の実施の形態において、前記本発明の第１の実施の形態と主に異なる点は、屋内に出力するアンテナ出力端子２と前記入力端子４とを接続する接続コード１７を用いた点で、このように構成した電波の送信装置１Ｄにしても本発明の第１の実施の形態と同様の作用効果を得ることができるとともに、直接取付けるスペースがない場合でも、前記接続コード１７を介して設置することができる。
【００１５】
図１４に示す本発明の第６の実施の形態において、前記本発明の第１の実施の形態と主に異なる点は、前記アンテナ出力端子２と前記入力端子４とが接続状態で、前記ケース体２を壁面Ｗや床面等に取出し可能に埋設し、前記出力アンテナ１３部位を外部に突出状態で設けた点で、このように構成した電波の送信装置１Ｅにしても本発明の第１の実施の形態と同様の作用効果を得ることができる。
【００１６】
図１５および図１６に示す本発明の第７の実施の形態において、前記本発明の第１の実施の形態と主に異なる点は、前記入力端子４から入力されるＶＨＦ、ＵＨＦ、ＢＳ、デジタル信号等の放送電波を、増幅することなしに出力アンテナ１３から出力する点で、このように構成した電波の送信装置１Ｆにしても本発明の第１の実施の形態と同様の作用効果を得ることができるとともに、デジタル放送に使用するデジタル信号も変換、増幅なしに屋内に送信することができる。
なお、効率よく屋内にデジタル信号を送信するために、適宜にフィルターを介してもよい。
【００１７】
図１７に示す本発明の第８の実施の形態において、前記本発明の第１の実施の形態と主に異なる点は、従来と同様の、チューナー、デコーダー、ターミナルアダプター等の情報端末機の中継器Ｘ内に設ける点で、このように構成した電波の送信装置１Ｇは、前記中継器Ｘの電力を利用して作動させることができる。
【００１８】
図１８に示す本発明の第９の実施の形態において、前記本発明の第６の実施の形態と主に異なる点は、前記ケース体２を外部に設置し、前記出力アンテナ１３Ｂを屋内やビル陰等の電波障害地域に無線送信が可能な状態で設けた点で、このように構成した電波の送信装置１Ｈにしても本発明の第６の実施の形態と同様の作用効果を得ることができる。
【００１９】
図１９に示す本発明の第１０の実施の形態において、前記本発明の第９の実施の形態と主に異なる点は、前記ケース体２をビル陰等の電波障害地域に無線送信が可能な状態で屋外の壁部位等に設けた点で、このように構成した電波の送信装置１Ｉにしても本発明の第９の実施の形態と同様の作用効果を得ることができる。
なお、外部から受信する放送電波は、結線状態あるいは無線受信することができる。
【００２０】
なお、前記本発明の異なる実施の形態では主に第１の実施の形態を基にして説明したが、本発明はこれに限らず、各実施の形態に使用された構成を組み合わせて使用しても同様な作用効果が得られる。
【００２１】
【発明の効果】
以上の説明から明らかなように、本発明にあっては次に列挙する効果が得られる。
【００２２】
（１）外部から受信したＶＨＦ、ＵＨＦ、ＢＳ、デジタル信号等の放送電波を屋内や電波障害地域等に出力するアンテナ出力端子に着脱可能に取付けられる入力端子と、この入力端子に接続された、該入力端子から入力される放送電波を増幅する増幅回路と、この増幅回路に接続された商用電源に接続する商用電源接続回路と、前記増幅回路で増幅された放送電波を出力する出力アンテナとからなるので、外部からの放送電波を屋内に無線状態で送信することができる。
したがって、同軸ケーブル等の配線をなくし、屋内やビル陰等の電波障害地域、あるいは電波の届く範囲でＶＨＦ、ＵＨＦ、ＢＳ、デジタル信号等の放送電波を容易に受信させることができる。
【００２３】
（２）前記（１）によって、同軸ケーブル等の配線や接続が不要なので、屋内のデザインを損ねることなく良質な視聴することができる。
【００２４】
（３）前記（１）によって、同軸ケーブル等の配線や接続が不要なので、配線が困難であったキッチンや浴室等の水回り部でのＴＶ視聴も容易にできる。
【００２５】
（４）請求項２〜６も前記（１）〜（３）と同様な作用効果が得られる。
【図面の簡単な説明】
【図１】本発明の第１の実施の形態の説明図。
【図２】本発明の第１の実施の形態の概略回路図。
【図３】本発明の第１の実施の形態の異なるタイプの説明図。
【図４】本発明の第１の実施の形態の使用状態の説明図。
【図５】本発明の第１の実施の形態の参考図。
【図６】本発明の第２の実施の形態の説明図。
【図７】本発明の第２の実施の形態の概略回路図。
【図８】本発明の第３の実施の形態の説明図。
【図９】本発明の第３の実施の形態の概略回路図。
【図１０】本発明の第４の実施の形態の説明図。
【図１１】本発明の第４の実施の形態の概略回路図。
【図１２】本発明の第５の実施の形態の説明図。
【図１３】本発明の第５の実施の形態の概略回路図。
【図１４】本発明の第６の実施の形態の使用状態の説明図。
【図１５】本発明の第７の実施の形態の説明図。
【図１６】本発明の第７の実施の形態の概略回路図。
【図１７】本発明の第８の実施の形態の説明図。
【図１８】本発明の第９の実施の形態の概略回路図。
【図１９】本発明の第１０の実施の形態の使用状態の説明図。
【符号の説明】
１、１Ａ〜１Ｉ：電波の送信装置、    ２：屋内アンテナ出力端子、
３：ケース体、                      ４：入力端子、
５：分波回路、                      ６：分離フィルター、
７：増幅回路、                      ８：コンセント、
９：スイッチ、                      １０：商用電源接続回路、
１１、１１Ａ：第１出力アンテナ、    １２：第２出力アンテナ、
１３、１３Ａ、１３Ｂ：出力アンテナ、１４：変圧器、
１５：電池、                        １６：電流供給回路、
１７：接続コード                    Ｘ：電源回路、
Ｗ：壁面。
【図１】
2004222114.tif 000003
【図２】
2004222114.tif 000004
【図３】
2004222114.tif 000005
【図４】
2004222114.tif 000006
【図５】
2004222114.tif 000007
【図６】
2004222114.tif 000008
【図７】
2004222114.tif 000009
【図８】
2004222114.tif 000010
【図９】
2004222114.tif 000011
【図１０】
2004222114.tif 000012
【図１１】
2004222114.tif 000013
【図１２】
2004222114.tif 000014
【図１３】
2004222114.tif 000015
【図１４】
2004222114.tif 000016
【図１５】
2004222114.tif 000017
【図１６】
2004222114.tif 000018
【図１７】
2004222114.tif 000019
【図１８】
2004222114.tif 000020
【図１９】
2004222114.tif 000021